(57)【要約】【課題】小型化、軽量化、成形することが容易なレンズを提供する。【解決手段】本発明によるレンズモジュールは、水平方向に延伸する第１の筒壁と、前記第１の筒壁から折曲って延伸する第２の筒壁とを備える鏡筒と、前記鏡筒内に取り付けられるレンズ及び遮光シートとを備えるレンズモジュールであって、前記レンズには第１の傾斜面が設けられ、前記鏡筒の第１の筒壁には前記第１の傾斜面と当接する第２の傾斜面が設けられ、前記遮光シートは前記第１の筒壁に取り付けられ、前記レンズモジュールは、さらに前記遮光シートに設けられている押圧リングを備え、前記遮光シートには前記レンズが延伸するための通光孔が形成されることを特徴とするレンズモジュール。本発明によるレンズモジュールでは、通光孔を前記遮光シート上に設けて、散乱光を阻止すると同時に、鏡筒の筒壁の肉厚を薄くさせて、レンズモジュール全体としての高さ及び重さを低下させる。【選択図】図１
2017097313.tif 000002
【特許請求の範囲】
【請求項１】
水平方向に延伸する第１の筒壁と、前記第１の筒壁から折曲って延伸する第２の筒壁とを備える鏡筒と；前記鏡筒内に取り付けられるレンズと；遮光シートとを備えるレンズモジュールにおいて、
前記レンズには第１の傾斜面が設けられており、前記鏡筒の第１の筒壁には前記第１の傾斜面と当接する第２の傾斜面が設けられており、前記遮光シートは前記第１の筒壁に取り付けられており、
前記レンズモジュールは、さらに前記遮光シートに設けられている押圧リングを備え、
前記遮光シートには前記レンズが延伸するための通光孔が形成されていることを特徴とするレンズモジュール。
【請求項２】
前記鏡筒の第１の筒壁には、その内面から鏡筒の中心軸へ延伸して突出部が形成されており、前記突出部と前記鏡筒の内面とは溝を構成し、前記遮光シートは部分的に前記溝内に収納されていることを特徴とする請求項１に記載のレンズモジュール。
【請求項３】
前記押圧リングは、接着材により前記鏡筒に固定されており、
前記遮光シートは、前記押圧リングと前記鏡筒との間に挟まれて固定されていることを特徴とする請求項１または２に記載のレンズモジュール。
【請求項４】
前記押圧リングと前記鏡筒との間に、前記接着材を収納するための接着材入れ槽が形成されていることを特徴とする請求項３に記載のレンズモジュール。
【請求項５】
前記押圧リングのエッジに第３の傾斜面が設けられており、
前記第３の傾斜面と前記鏡筒の内面とが、前記接着材入れ槽を構成することを特徴とする請求項４に記載のレンズモジュール。
【請求項６】
前記押圧リングは、金属の押圧リングまたはプラスチックの押圧リングであることを特徴とする請求項１から５のいずれか一項に記載のレンズモジュール。
【請求項７】
前記遮光シートは、中空のリング状の構造であることを特徴とする請求項１から６のいずれか一項に記載のレンズモジュール。
【請求項８】
前記レンズの光軸と、前記鏡筒の中心軸と、前記遮光シートの中心軸とは、同一直線に位置することを特徴とする請求項１から７のいずれか一項に記載のレンズモジュール。
【請求項９】
前記レンズは、突出部と、前記突出部の周囲に設けられている周辺部とを備え、前記突出部は前記遮光シートに形成される通光孔を超えるように延伸していることを特徴とする請求項１から８のいずれか一項に記載のレンズモジュール。
【請求項１０】
前記周辺部と前記遮光シートとの間に隙間を有することを特徴とする請求項９に記載のレンズモジュール。
【発明の詳細な説明】
【技術分野】
【０００１】
本発明はレンズモジュールに関し、特に、携帯電話、デジタルカメラ、ＰＤＡ（Personal  Digital  Assistant）、及びＮｏｔｅ  Ｂｏｏｋ（ノート型パソコン）等の電子デバイスに用いられているレンズモジュールに関している。
【背景技術】
【０００２】
従来、撮像技術の発展及び撮影機能を有する電子製品の進化に伴い、光学撮像レンズモジュールは、各種の製品に広く応用されている。現在の電子製品では、体積がますます小さくなるという傾向を満たすために、レンズモジュールの体積も小型化しなければならない。
【０００３】
従来技術では、レンズモジュールは、レンズ鏡筒と、前記レンズ鏡筒内に設けられるレンズと、レンズ同士に挟まれた遮光シートと、を備え、前記レンズ鏡筒は、水平方向に伸びている第１の筒壁と、前記第１の筒壁から折曲って伸びている第２の筒壁とを備え、前記第１の筒壁上に、レンズが伸びる通光孔が形成される。ところで、第１の筒壁上に通光孔が形成されるには、筒壁の厚さについて一定の要求を満たさなければならない。筒壁の厚さが増加すると、レンズモジュール全体の高さ及び重量は増加する。レンズ鏡筒を成形するときの難しさが増すことになる。それだけではなく、従来技術では、第１の筒壁において、通光孔の位置に傾斜面が設けられることもあるが、このようにすれば、成形は一層困難になる。したがって、新しいレンズモジュールを提供して、上記の欠陥を克服する必要がある。
【発明の概要】
【発明が解決しようとする課題】
【０００４】
本発明は、小型化、軽量化、成形することが容易なレンズを提供することを目的とする。
【課題を解決するための手段】
【０００５】
上記の目的を達成するために、本発明におけるレンズモジュールは、水平方向に延伸する第１の筒壁と、前記第１の筒壁から折曲って延伸する第２の筒壁とを備える鏡筒と；前記鏡筒内に取り付けられるレンズと；遮光シートとを備えるレンズモジュールであって、
前記レンズには第１の傾斜面が設けられ、前記鏡筒の第１の筒壁には前記第１の傾斜面と当接する第２の傾斜面が設けられ、前記遮光シートは前記第１の筒壁に取り付けられ、前記遮光シートには前記レンズが延伸するための通光孔が形成される。前記レンズモジュールは、さらに前記遮光シート上に設けられている押圧リングを備える。
【０００６】
好ましくは、前記鏡筒の第１の筒壁には、その内面から鏡筒の中心軸へ延伸して突出部が形成され、前記突出部と前記鏡筒の内面とは溝を構成する。前記遮光シートは部分的に前記溝に収納される。
好ましくは、前記押圧リングは接着材によって前記鏡筒に固定される。前記遮光シートは前記押圧リングと前記鏡筒との間に挟んで固定される。
好ましくは、前記押圧リングと前記鏡筒との間に接着材を収納するための接着材入れ槽が形成される。
好ましくは、前記押圧リングのエッジに第３の傾斜面が設けられ、前記第３の傾斜面と前記鏡筒の内面とが上記接着材入れ槽を構成する。
好ましくは、前記押圧リングは金属の押圧リングまたはプラスチックの押圧リングである。
好ましくは、前記遮光シートは中空のリング状の構造である。
好ましくは、前記レンズの光軸と前記鏡筒の中心軸と前記遮光シートの中心軸とは、同一直線に位置する。
【０００７】
好ましくは、前記レンズは、突出部と、前記突出部の周囲に設けられる周辺部とを備え、前記突出部は前記遮光シートに形成される通光孔を超えるように延伸する。
好ましくは、前記周辺部と前記遮光シートとの間に隙間を有する。
【発明の効果】
【０００８】
従来のレンズモジュールと比べると、本発明は、以下の利点を有する。通光孔が前記遮光シート上に設けられるから、第１の筒壁の肉厚を薄くさせて、レンズモジュール全体の高さ及び重さは低下して、成形が便利になり、良品率が高い。それと同時に、レンズと鏡筒とは傾斜面によって合わせることができ、レンズと鏡筒の光軸を合わせることを保証できる。
【図面の簡単な説明】
【０００９】
【図１】図１は本発明におけるレンズモジュールの構成を示す模式図である。
【図２】図２は本発明におけるレンズモジュールの鏡筒を示す模式図である。
【図３】図３は本発明におけるレンズモジュールのレンズ群を示す模式図である。
【発明を実施するための形態】
【００１０】
以下には、図面を参照しながら、本発明のレンズモジュールを詳細に記述する。図１を参照すると、本発明のレンズモジュール１００は、鏡筒１と、前記鏡筒１内に設けられたレンズ群２（例えば、第１レンズ２１および第２レンズ２２）と、前記鏡筒１上に設けられた遮光シート３と、前記遮光シート３上に設けられた押圧リング４を備える。図２に示すように、前記鏡筒１は、水平方向に延伸する第１の筒壁１１と、前記第１の筒壁１１から下方へ折曲って延伸する第２の筒壁１２と、前記第１の筒壁１１及び第２の筒壁１２が取り囲んだ収納空間１３とを備える。前記鏡筒１には、第１の筒壁１１において、その内面から鏡筒１の中心軸へ延伸して形成される突出部１４が設けられている。前記突出部１４と前記鏡筒１の内面とは、溝１５を形成する。前記溝１５は、前記収納空間１３に連通する。前記遮光シート３は、部分的に前記溝１５に収納される。前記第１の筒壁１１における突出部１４により、前記収納空間１３に連通する開孔１１１が設けられる。前記突出部１４には、傾斜する第２の傾斜面１１２が設けられる。
【００１１】
図３に示すように、前記レンズ群２は、第１のレンズ２１と、前記第１のレンズ２１に積層して設けられる第２のレンズ２２とを含む。本実施例におけるレンズ群２は、二つのレンズを含む。他の実施例では、一つまたは二つ以上のレンズを設けても良い。前記第１のレンズ２１は、第２のレンズ２２から離れる第１の表面２１１と、前記第１の表面に対向して設けられる第２の表面２１２とを含む。前記第１のレンズ２１は、突出部２１３と前記突出部２１３の周囲に設けられる周辺部２１４とを含む。前記第１のレンズ２１の第１の表面２１１は、外から内へ順次に水平方向に延伸する第１の平面２１５と、前記第２の傾斜面１１２に当接する第１の傾斜面２１６と、水平方向に延伸する第２の平面２１７と、第１の光学面２１８とを含む。前記第１の平面２１５、第１の傾斜面２１６及び第２の平面２１７は、前記第１のレンズ２１の周辺部２１４に位置し、前記第１の光学面２１８は弧状であり、前記第１のレンズ２１の突出部２１３に位置する。前記第１の傾斜面２１６の傾斜度は、前記第２の傾斜面１１２の傾斜度と同じであるから、前記第１の傾斜面２１６と前記第２の傾斜面１１２とを完全に貼り合わせ、前記第２の平面２１７と前記遮光シート３との間に所定の隙間を有させる。他の実施例においては、前記第２の平面２１７は、前記遮光シート３と貼り合わせて設けられても良い。前記第１のレンズ２１の周辺部２１４は、部分的に前記第１の筒壁１１と第２のレンズ２２との間に挟まれる。前記第１のレンズ２１、第２のレンズ２２の光軸は、前記鏡筒１の中心軸と同一の直線に位置する。
【００１２】
前記遮光シート３は、部分的に、前記鏡筒１において第１の筒壁１１の溝１５内に収納され、内部へ水平方向に延伸して前記突出部１４を超える。前記遮光シート３は、前記第１のレンズ２１の突出部２１３が延伸するための通光孔３１を備える。前記遮光シート３は、中空のリング状の構造である。前記通光孔３１の孔径は、前記開孔１１１の孔径よりも小さい。前記遮光シート３の中心軸は、前記レンズ群２の光軸及び前記鏡筒１の中心軸と同一の直線に位置する。前記遮光シート３は、前記第１のレンズ２１の第１の光学面２１８の両側に接触する。
【００１３】
前記押圧リング４は、前記鏡筒１の溝１５内に設けられるとともに、前記遮光シート３を押圧することによって、前記遮光シート３をより確実に固定させる。前記押圧リング４のエッジに、第３の傾斜面４１が設けられる。前記第３の傾斜面４１と前記鏡筒１の内面とは、接着材入れ槽４２を構成する。前記押圧リング４は、接着材５によって前記鏡筒１に固定され、さらに押圧リング４と前記鏡筒１との間に挟まれた遮光シート３を固定させる。前記押圧リング４は、前記鏡筒１と水平方向に間隔を置いて設けられても良い。このようにして、押圧リングと鏡筒との間に隙間が形成されて、前記押圧リングの外壁と、前記鏡筒の内面と、前記遮光シートとは、接着材を収納するための接着材入れ槽を形成することができる。前記遮光シートは、接着材によって前記鏡筒に直接的に固定されることができる。前記押圧リング４は、金属の押圧リングまたはプラスチックの押圧リングであってもよい。
【００１４】
前記レンズモジュール１００を組み立てるとき、まず、鏡筒１と遮光シート３とを用意する。遮光シート３を前記鏡筒１の溝１５内に取り付ける。そして、押圧リング４を用意して前記遮光シート３の上に押圧する。また、前記押圧リング４と前記第１の筒壁１１の内面とが構成する接着材入れ槽４２に、接着材５を与え固定する。それと同時に、遮光シート３の中心軸を、前記鏡筒１の中心軸と同一の直線に位置させる。そして、第１のレンズ２１を前記鏡筒１内に取り付ける。前記第１のレンズ２１の第１の平面２１５を前記鏡筒１の第１の筒壁１１の下方に貼り合わせ、前記第１のレンズ２１の第１の傾斜面２１６を前記第１の筒壁１１の第２の傾斜面１１２に貼り合わせる。前記傾斜面を合わせることによって、第１のレンズ２１と鏡筒１との光軸を合わせるので、第１のレンズ２１を前記鏡筒１内に精確に押し込むことができる。前記第１のレンズ２１の第１の光学面２１８は、前記遮光シート３の通光孔３１から延伸する。つまり、前記第１のレンズ２１の一部（第１の光学面２１８）が、通光孔３１から遮光シート３の上方向に突出した状態であるともいえる。前記第１のレンズ２１のエッジと前記鏡筒１の第２の筒壁１２の内面とを締まりばめにする。第２のレンズ２２を用意して、前記第１のレンズ２１の下方に取り付ける。前記第２のレンズ２２のエッジと前記鏡筒１の第２の筒壁１２の内面とを締まりばめにする。当然、前記第１のレンズ２１と第２のレンズ２２も、鏡筒１内に直接に入れることができ、押し付け力がないままに鏡筒１の内面に合わせる。最後に、接着材によって第２のレンズを鏡筒１に更に固定させる。これにより、レンズモジュール１００は全体としての組立が完成する。
【００１５】
前記遮光シート３は、散乱光を阻止することができる。遮光シート３に、直接に、第１のレンズ２１の突出部２１３が延伸するための通光孔３１が形成されるので、前記第１の筒壁１１の肉厚を薄くすることができる。これによって、レンズモジュール１００全体の高さ及び重さを低下することができ、現在のデバイスの小型化の発展の傾向を満たすことができ、同時に、肉厚の薄い鏡筒１は成形が便利になり、良品率が高いという利点を有する。
【００１６】
以上は、本発明の好ましい実施形態に過ぎない。本特許請求の範囲は上記の実施形態に限っていない。当業者は、本発明に掲示された内容に基づいて同等に修正または変化をすることができる。これらの修正または変化も本発明の保護範囲に属する。
【産業上の利用可能性】
【００１７】
本発明によれば、通光孔が前記遮光シート上に設けられるから、第１の筒壁の肉厚を薄くさせて、レンズモジュール全体の高さ及び重さは低下して、成形が便利になり、良品率が高い。それと同時に、レンズと鏡筒とは傾斜面によって合わせることができ、レンズと鏡筒の光軸を合わせることを保証できる。
【符号の説明】
【００１８】
１００  レンズモジュール
１      鏡筒
１１    第１の筒壁
１２    第２の筒壁
１３    収納空間
１４    突出部
１５    溝
１１１  開孔
１１２  第２の傾斜面
２      レンズ群
２１    第１のレンズ
２２    第２のレンズ
２１１  第１の表面
２１２  第２の表面
２１３  突出部
２１４  周辺部
２１５  第１の平面
２１６  第１の傾斜面
２１７  第２の平面
２１８  第１の光学面
３      遮光シート
３１    通光孔
４      押圧リング
４１    第３の傾斜面
４２    接着材入れ槽
５      接着材
【図１】
2017097313.tif 000003
【図２】
2017097313.tif 000004
【図３】
2017097313.tif 000005
【手続補正書】
【提出日】平成28年9月12日(2016.9.12)
【手続補正１】
【補正対象書類名】特許請求の範囲
【補正対象項目名】全文
【補正方法】変更
【補正の内容】
【特許請求の範囲】
【請求項１】
水平方向に延伸する第１の筒壁と、前記第１の筒壁から折曲って延伸する第２の筒壁とを備える鏡筒と；前記鏡筒内に取り付けられるレンズと；遮光シートとを備えるレンズモジュールにおいて、
前記レンズには第１の傾斜面が設けられており、前記鏡筒の第１の筒壁には前記第１の傾斜面と当接する第２の傾斜面が設けられており、前記遮光シートは前記第１の筒壁に取り付けられており、
前記レンズモジュールは、さらに前記遮光シートに設けられている押圧リングを備え、
前記遮光シートには前記レンズが延伸するための通光孔が形成されており、
前記鏡筒の第１の筒壁には、その内面から鏡筒の中心軸へ延伸して突出部が形成されており、前記突出部と前記鏡筒の内面とは溝を構成し、前記遮光シートは部分的に前記溝内に収納されており、前記突出部には傾斜する前記第２の傾斜面が設けられることを特徴とするレンズモジュール。
【請求項２】
前記押圧リングは、接着材により前記鏡筒に固定されており、
前記遮光シートは、前記押圧リングと前記鏡筒との間に挟まれて固定されていることを特徴とする請求項１に記載のレンズモジュール。
【請求項３】
前記押圧リングと前記鏡筒との間に、前記接着材を収納するための接着材入れ槽が形成されていることを特徴とする請求項２に記載のレンズモジュール。
【請求項４】
前記押圧リングのエッジに第３の傾斜面が設けられており、
前記第３の傾斜面と前記鏡筒の内面とが、前記接着材入れ槽を構成することを特徴とする請求項３に記載のレンズモジュール。
【請求項５】
前記押圧リングは、金属の押圧リングまたはプラスチックの押圧リングであることを特徴とする請求項１から４のいずれか一項に記載のレンズモジュール。
【請求項６】
前記遮光シートは、中空のリング状の構造であることを特徴とする請求項１から５のいずれか一項に記載のレンズモジュール。
【請求項７】
前記レンズの光軸と、前記鏡筒の中心軸と、前記遮光シートの中心軸とは、同一直線に位置することを特徴とする請求項１から６のいずれか一項に記載のレンズモジュール。
【請求項８】
前記レンズは、突出部と、前記突出部の周囲に設けられている周辺部とを備え、前記突出部は前記遮光シートに形成される通光孔を超えるように延伸していることを特徴とする請求項１から７のいずれか一項に記載のレンズモジュール。
【請求項９】
前記周辺部と前記遮光シートとの間に隙間を有することを特徴とする請求項８に記載のレンズモジュール。